(57)【要約】  【課題】背幅を通常状態から拡幅させて閲覧、取扱い、収納が可能なファイルを簡易な構造により提供する。【解決手段】背表紙片１を連ねて設けた表表紙Ａと、背表紙片２を連ねて設けた裏表紙Ｂとを備えるものであって、両背表紙片１，２を互いに摺動可能に重ね合わせるとともに、両背表紙片１，２が図３や図９に示すような異なる所定幅位置にあるときに両背表紙片１，２を重ね合わせた状態のまま相互にロックできるロック手段Ｌを背表紙片１、２上に設けることとした。  【選択図】図２
2008207448.tif 000002
【特許請求の範囲】
【請求項１】
背表紙片を連ねて設けた表表紙と、背表紙片を連ねて設けた裏表紙とを備えるファイルであって、
前記両背表紙片を互いに摺動可能に重ね合わせるとともに、両背表紙片が少なくとも２箇所に設定した異なる所定幅位置にあるときに各々の所定幅位置において両背表紙片を重ね合わせた状態のまま相互にロックできるロック手段を背表紙片上に有することを特徴とするファイル。
【請求項２】
ロック手段が、少なくとも最大背幅位置と最小背幅位置とで背表紙片を相互にロックできるものである請求項１記載のファイル。
【請求項３】
ロック手段が、重ね合わせた状態で内面側から操作可能なように位置づけた固定具と、所定幅位置においてこの固定具が係り合うことによって背表紙片の相対位置を拘束する係り合い部とを備えている請求項１又は２記載のファイル。
【請求項４】
背表紙片間に、これら両背表紙片の所定方向への相対移動を許容しつつ両背表紙片を離脱しないように取り付ける取付機構を構成し、この取付機構の一部に固定具を支持させている請求項３記載のファイル。
【請求項５】
取付機構が、一方の背表紙片に設けた支持杆を他方の背表紙片に設けたガイド部に係り合わせるようにしたものであり、その支持杆に固定具を一体的に設けている請求項４記載のファイル。
【請求項６】
固定具が、ヒンジ部を介して取付機構に回転可能に設けられている請求項４又は５記載のファイル。
【請求項７】
ヒンジ部に、固定具が係り合い部に対してロック位置から非ロック位置に移動した際にクリックストップさせる樹脂スプリング機能を備える請求項６記載のファイル。
【請求項８】
表表紙と背表紙片の間、及び、裏表紙と背表紙片の間が、分離した芯材の間を表装材で接続することにより一体的に構成されている請求項１〜７記載のファイル。
【請求項９】
重ね合わせた際に外面側に位置する背表紙片に見出し片が配置されるものであって、係り合い部を当該背表紙片の見出し片によって隠蔽される位置に集中して設けている請求項３〜７記載のファイル。
【請求項１０】
重ね合わせた際に外面側に位置する背表紙片に見出し片が配置されるものであって、取付機構を構成するガイド部を当該背表紙片の見出し片によって隠蔽される位置に設けるとともに、支持杆がガイド部に沿って最大背幅位置に移動した際にも当該見出し片によってほぼ隠蔽された状態にあるように構成している請求項５〜７記載のファイル。
【請求項１１】
背表紙片間に、これら両背表紙片の所定方向への相対移動を許容しつつ両背表紙片を離脱しないように取り付ける取付機構を構成するとともに、両背表紙片を重ねた状態において、綴じ具が両背表紙片の内面間にまたがって設けられる請求項１〜１０記載のファイル。
【請求項１２】
綴じ具が、各背表紙片にそれぞれ固定したベース部と、これらのベース部にそれぞれ取り付けた押さえ片とを備え、少なくとも一方の押さえ片が着脱可能であるとともに、これらの押さえ片の一方より突出させたパイプと他方より突出させた軸とを嵌合させて背幅に応じた嵌合深さの綴じ杆を形成するものであって、両背表紙片の段差に対応した段差解消部を設けて綴じ杆の伸縮方向と背表紙片の相対移動方向とを平行に保つようにしている請求項１１記載のファイル。
【請求項１３】
背幅を拡幅させた状態で既設パイプから突出する軸部分に嵌合する拡張パイプを、背表紙片の内面側に着脱可能に取り付け得るようにしている請求項１〜１２記載のファイル。
【請求項１４】
背幅を拡幅させた状態で既設パイプから突出する軸部分に嵌合する拡張パイプを、背表紙片の内面側において取付機構の一部に着脱可能に取り付け得るようにしている請求項４〜７記載のファイル。
【発明の詳細な説明】
【技術分野】
【０００１】
本発明は、比較的大量の紙葉類を綴じ込むことが予定される場合等に特に有効となるファイルに関するものである。
【背景技術】
【０００２】
この種の従来のファイルとして、例えば特許文献１に示すものが知られている。このものは、表表紙及び裏表紙の内縁に背表紙側に回り込む一対の背表紙片を連ねて設け、これらの背表紙片を接離方向に沿ってスライド可能に配置することにより異なる背幅位置をとらしめるようにしたものである。そして、通常背幅時に背表紙片を所定位置にロックするロック機構を設け、必要なときにこのロック機構のロック状態を解除することによって、背表紙片を拡幅位置にスライド移動させ、一時的に背幅を拡幅して閲覧性を向上させることができるようにしている。
【特許文献１】特開２００５−１３２０６５
【発明の開示】
【発明が解決しようとする課題】
【０００３】
ところで、この種のファイルを取り扱う際には、背表紙側を上にして表表紙と裏表紙を掴むように握ったり、棚等の保管場所に対して背表紙の両縁を摘んで出し入れしたりするものである。したがって、単に背幅を拡幅させるだけの上記特許文献１のものは、あくまで閲覧性の向上に止まり、実質的に綴じ込み量を可変とするものではない。すなわち、かかる特許文献１に代表されるファイルにおいては、予め多くの紙葉類の綴じ込みが予定される場合には、最初から背幅の幅広なものを使用することになるため、収容量が少ない間は保管場所に配置した際に多くのデッドスペースを生じることとなる。
【０００４】
本発明は、このような課題に着目してなされたものであって、背幅を通常状態から拡幅させて使用する上で有用な構造を備えた、使い勝手に優れたファイルを簡易な構造により提供しようとするものである。
【課題を解決するための手段】
【０００５】
本発明は、かかる目的を達成するために、次のような手段を講じたものである。
【０００６】
すなわち、本発明のファイルは、背表紙片を連ねて設けた表表紙と、背表紙片を連ねて設けた裏表紙とを備えたものであって、前記両背表紙片を互いに摺動可能に重ね合わせるとともに、両背表紙片が少なくとも２箇所に設定した異なる所定幅位置にあるときに各々の所定幅位置において両背表紙片を重ね合わせた状態のまま相互にロックできるロック手段を背表紙片上に有することを特徴とする。
【０００７】
このように構成すると、両背表紙片から構成される背表紙を幅狭な位置から拡幅した位置に再固定して使用することができるので、単に閲覧のためのみに拡幅するものに比べて、実質的な綴じ込み量を有効に可変とすることができる。また、予め多くの紙葉類の綴じ込みが予定される場合にも、綴じ込み量が少ない間は背幅を幅狭に調整しておけば棚等の保管場所に多くのデッドスペースが生じることも好適に解消することができる。その上、独立した背板を用いておらず、表表紙及び裏表紙に連ねた背表紙片同士を重ね合わせるだけの最小限の重合で背表紙部分を構成しているため、簡素な構造を有効に実現することが可能となる。
【０００８】
上記の効果を最大限に発揮させるためには、ロック手段が、少なくとも最大背幅位置と最小背幅位置とで背表紙片を相互にロックできるものであることが望ましい。
【０００９】
机上にて簡単にロック／ロック解除操作を行い得るようにするためには、ロック手段が、重ね合わせた状態で内面側から操作可能なように位置づけた固定具と、所定幅位置においてこの固定具が係り合うことによって背表紙片の相対位置を拘束する係り合い部とを備えていることが好ましい。
【００１０】
固定具の脱落、紛失を防止し、取扱いの便も向上させるためには、背表紙片間に、これら両背表紙片の所定方向への相対移動を許容しつつ両背表紙片を離脱しないように取り付ける取付機構を構成し、この取付機構の一部に固定具を支持させていることが好適である。
【００１１】
この場合、簡素な構造としては、取付機構が一方の背表紙片に設けた支持杆を他方の背表紙片に設けたガイド部に係り合わせるようにしたものであって、その支持杆に固定具を一体的に設けているものが挙げられる。
【００１２】
特に、良好な操作性を得るためには、固定具が、ヒンジ部を介して取付機構に回転可能に設けられていることが望ましい。
【００１３】
とりわけ、ヒンジ部に、固定具が係り合い部に対してロック位置から非ロック位置に移動した際にクリックストップさせる樹脂スプリング機能を備えていることが便利である。
【００１４】
適正なファイルの形態を維持するためには、表表紙と背表紙片の間、及び、裏表紙と背表紙片の間が、分離した芯材の間を表装材で接続することにより一体的に構成されていることが好ましい。
【００１５】
背幅を拡幅させた際のファイルの外観を確保するためには、重ね合わせた際に外面側に位置する背表紙片に見出し片が配置されるものであり、係り合い部を当該背表紙片の見出し片によって隠蔽される位置に集中して設けておくことが望ましい。
【００１６】
同様の趣旨で、重ね合わせた際に外面側に位置する背表紙片に見出し片が配置されるものにおいて、取付機構を構成するガイド部を当該背表紙片の見出し片によって隠蔽される位置に設けるとともに、支持杆がガイド部に沿って最大背幅位置に移動した際にも当該見出し片によってほぼ隠蔽された状態にあるように構成していることが望ましい。
【００１７】
紙葉類の脱着を容易にするとともに、背表紙片を的確に動作させ、最大拡幅時の状態も安定なものにするためには、背表紙片間に、これら両背表紙片の所定方向への相対移動を許容しつつ両背表紙片を離脱しないように取り付ける取付機構を構成するとともに、両背表紙片を重ねた状態において、綴じ具が両背表紙片の内面間にまたがって設けられることが望ましい。
【００１８】
綴じ具が、各背表紙片にそれぞれ固定したベース部と、これらのベース部にそれぞれ取り付けた押さえ片とを備え、少なくとも一方の押さえ片が着脱可能であるとともに、これらの押さえ片の一方より突出させたパイプと他方より突出させた軸とを嵌合させて背幅に応じた嵌合深さの綴じ杆を形成するものである場合に、背表紙片間に生じる段差によっても綴じ杆を適正に伸縮動作させるためには、両背表紙片の段差に対応した段差解消部を設けて綴じ杆の伸縮方向と背表紙片の相対移動方向とを平行に保つようにしていることが好適である。
【００１９】
背幅拡幅時における使用状態を良好にするためには、背幅を拡幅させた状態で既設パイプから突出する軸部分に嵌合する拡張パイプを、背表紙片の内面側に着脱可能に取り付け得るようにしていることが望ましい。
【００２０】
具体的には、当該拡張パイプを、背表紙片の内面側において前述した取付機構の一部に着脱可能に取り付け得るように構成しているものが挙げられる。
【発明の効果】
【００２１】
本発明は、以上説明した構成であるから、背幅を幅狭な状態と拡幅させた状態との間で背幅変更して閲覧、持ち運び、収納する際に有用となり、しかも背板を省略して簡素かつ極力嵩張らない構造を有効に実現した使い勝手に優れたファイルを提供することが可能となる。
【発明を実施するための最良の形態】
【００２２】
以下、本発明の一実施形態を、図面を参照して説明する。
【００２３】
図１及び図２に示す本実施形態のファイルは、ファイル本体Ｆが、内縁に背表紙片１、２を連ねて設けた表表紙Ａ及び裏表紙Ｂと、これらの背表紙片１、２を重ね合わせて分離しないようにスライド可能に取り付ける取付機構４とを具備するものであり、このファイル本体Ｆにパイプ式の綴じ具５を設けている。
【００２４】
具体的に説明すると、表表紙Ａ及び裏表紙Ｂは、それぞれ折り曲げ部ａ、ｂを介して背表紙片１、２を一体的に連ねたもので、これら両折り曲げ部ａ、ｂが屈曲することによって背表紙片１、２が外面側に回り込み、背表紙Ｃを構成するものである。表表紙Ａと背表紙片１の間及び裏表紙Ｂと背表紙片２の間は、図２に一部破砕して示すように、それぞれ分離した芯材ｃ、ｃの間を表装材ｄで接続した構造をなし、その表装材ｄのみが存する部位が上記折り曲げ部ａ、ｂを形成している。背表紙の外面側に位置することとなる背表紙片１及び内面側に位置することとなる背表紙片２には、背幅方向と直交する方向（以下、背丈方向と称する）の端部近傍に取付機構４を構成する段付長孔状のガイド部１１及び略丸穴状の貫通孔２１が形成してあり、ガイド部１１の背丈方向やや中央よりには後述する本発明の固定具を係り合わせるための係り合い部たる貫通部１２ａ、１２ｂが表表紙Ａに近い部位及び遠い部位の２箇所に形成され、また貫通孔２１の背丈方向やや中央よりには後述する本発明の固定具を係り合わせるための貫通部２２が１箇所に形成されている。
【００２５】
取付機構４は、図２、図４及び図５等に示すように、板状部４２から垂下させた支持杆４１を背表紙片２の貫通孔２１及び背表紙片１のガイド部１１に進入させ、貫通端４１にリベット４１ａを取り付けて当該背表紙片１、２間を離脱し得ないように取り付けたもので、リベット４１ａはガイド部１１の段部１１ａにスライド可能に係り合って外面側に突出しないようにしている。すなわち、背表紙片２は背表紙片１に対して、ガイド部１１内を支持杆４１が動き得る範囲で相対移動可能であり、かつガイド部１１によって円滑な接離動作が誘導されるようにしている。
【００２６】
一方、綴じ具５は、図１及び図２等に示すように、一対の押さえ片５１をそれぞれベース部５２を介して対応する各背表紙片１，２の背丈方向中央部に取り付けてなる。ベース部５２は、通常の背幅一定タイプのファイルに付帯するベース部を半割にした構造に類するもので、各ベース部５２の外縁に軸受部５２ａを有しており、押さえ片５１の基端５１ａをベース部５２の軸受部５２ａに差し込むことにより回転軸ｍ回りに回転可能に取り付け、押さえ片５１に付帯して設けた操作部５１ｂを押圧操作することにより当該押さえ片５１の基端５１ａをベース部５２の軸受部５２ａから解離させ得るように構成した既知のものである。これらの押さえ片５１の一方には２本のパイプ５３が、また他方には２本の軸５４がそれぞれ突出させて設けてある。そして、通常は表表紙Ａ側の背表紙片１に付帯する押さえ片５１をベース部５２から離脱させ、パイプ５３と軸５４とを解離した図３の状態から、これらのパイプ５３と軸５４とを嵌合させ、しかる後、両押さえ片５１を対面状態となるようにベース部５２に装着することにより、図３→図１４あるいは図９→図１５のように背表紙片１、２の接離位置に応じた嵌合深さの綴じ杆５ｘを形成し得るようにしている。
【００２７】
この場合、図１６に示すようにパイプ５３に拡張パイプ５５を嵌合させてパイプ５３から突出した軸５４と嵌合させることで綴じ杆５ｘを実質的に延長させる構成等も有効となる。このような拡張パイプ５５を使用すると、拡幅時にパイプ５３と軸５４の間に段差が生じることにより閲覧時に紙葉類を通過させる際の引っ掛かりになる状態を回避でき、軸５４のみにて支持する部位を補完して強度不足を補うことができ、軸５４が付帯している側の押さえ片５１を抜き取って紙葉類の加除作業を行う際に紙葉類の量に対しパイプの長さが不足して紙葉類が外れてしまうといった事態も有効に解消することができる。この拡張パイプ５５は、背表紙片１，２の内面側、特に互いに重合する背表紙片１，２のうち内面側に位置する背表紙片２の適宜部位に設けておくことが好ましい。
【００２８】
なお、図９の拡幅位置から図３の幅狭位置に向かって背表紙片１，２同士を重合させる方向に相対移動させる際、ベース部５２の内縁同士が突き当たることができるように、背表紙片１，２のうち内面側に位置する背表紙片２の一部に、外面側に位置する背表紙片１に付帯するベース部５２を受容して干渉を回避するための凹部２ｋが設けてある。
【００２９】
また、両背表紙片１，２間には、重ね合わせることによって内面側に背表紙片２の厚みに対応した段差が生じるため、単に同じ構造のベース部５２等を用いたのではパイプ５３と軸５４の軸心が一致しない。そこで、この実施形態では、図２に示すように外面側の背表紙片１に取り付けられるベース部５２と内面側の背表紙片２に取り付けられるベース部５２との間に段差解消部５００を設けている。この段差解消部５００は、外面側の背表紙片１においてベース部５２を構成する取付板５０１´から軸受部５２ａを支持する頂板５０２´までの立ち上がり寸法ｄ´を、内面側の背表紙片２においてベース部５２を構成する取付板５０１から軸受部５２ａを支持する頂板５０２までの立ち上がり寸法ｄに対して、背表紙片２の厚み寸法ｓの分だけ大きく設定したものである。これにより、軸受部５２ａを同じ高さに配することができ、綴じ杆５ｘを構成するパイプ５３と軸５４の軸心を一致させて、その伸縮方向と背表紙片１，２の相対移動方向とを平行に保つようにしている。
【００３０】
以上の構成において、本実施形態は、図１〜図３等に示すように、前記背表紙片１、２を所定の背幅位置に固定するロック手段Ｌを設けている。
【００３１】
このロック手段Ｌは、重ね合わせた状態で内面側から操作可能なように位置づけた固定具６と、所定幅位置においてこの固定具６と係り合い可能に設けた係り合い部たる貫通部１２ａ、１２ｂ、２２とからなる。
【００３２】
固定具６は、図２、図４及び図６等に示すように、前記取付機構４の板状部４２の縁部にヒンジ部６ａを介して回転可能に連ねて設けたプレート状の操作部６０と、この操作部６０の下面より垂下する突起６１、６２とを備えるもので、このうち突起６１の先端に前記外面側の背表紙片１の貫通部１２ａ、１２ｂに設けた内段部１２ｘに係り合い可能な取付爪６１ａを形成している。すなわち、固定具６が非ロック位置にある状態で、取付機構４の板状部４２は内面側の背表紙片２とともに図４及び図１０の間で移動可能であるため、固定具６は移動先において、貫通部２２に進入して対応する貫通部１２ａ、１２ｂに係り合うことができる。突起６１には取付爪６１ａを係り合わせ或いは離脱させる際にヒンジ部６ａから離れる方向の樹脂スプリング機能が付与してあり、突起６２は背表紙片１、２の位置ずれを実質的に規制する強度を有している。図２０は、この固定具６を一体に連ねている前記取付機構４の板状部４２に前述した拡張パイプ５５を保持する態様を示したもので、この板状部４２の上面に挟持片４２ａを起立させ、この挟持片４２ａに拡張パイプ５５を嵌め込むようにした例である。固定具６を操作するためにはこの拡張パイプ５５を外さなければならないが、固定具６を操作するのは背幅を変更するときであって、拡張パイプ５５の脱着を伴う場合であり、固定具６を操作しないときは使用されない拡張パイプ５５は固定具６の操作を妨げる位置にあっても支障はないことから、この種の背表紙片１，２同士を重合させたファイルにおいても拡張パイプ５５の待機場所を有効に確保することができる。
【００３３】
すなわち、背表紙片１、２を図３〜図５及び図８に示す最小背幅位置に縮幅して突起６１の取付爪６１ａを図７に示す外面側の背表紙片１のうち表表紙Ａに近い側の貫通部１２ａに係り合わせた際には、背表紙片１，２同士がその最小背幅位置にロックされ、逆に背表紙片１、２を図９〜図１１に示す最大背幅位置に拡幅して前記突起６１の取付爪６１ａを図１２に示す外面側の背表紙片１のうち表表紙Ａから遠い側の貫通部１２ｂに係り合わせた際には、背表紙片１，２同士がその最大背幅位置にロックされるようにしている。
【００３４】
なお、この固定具６は、ヒンジ部６ａにおける樹脂スプリング機能によって係り合い位置から非係り合い位置に移動した図６の位置にクリックストップされ、板状部４２に対して起立した状態を保持するようになっている。また、外面側の背表紙片１には図１７に一部破砕して示すように透明なフィルム７が貼着してあり、このフィルム７と背表紙片１との間に丈方向から見出し片８を挿入可能なポケットＰが形成してある。そして、このポケットＰを利用して、外面側の背表紙片１の幅方向ほぼ全域を覆うように見出し片８を配置することができるようにしている。すなわち、この見出し片８の内側に、何れの拡幅位置にあるかによらず貫通部１２ａ、１２ｂ、２２、ガイド部１１及び支持杆４１ａが位置する構成となっている。
【００３５】
以上のようにして、本実施形態のファイルＦは、背表紙片１を連ねて設けた表表紙Ａと、背表紙片２を連ねて設けた裏表紙Ｂとを備えるものであり、両背表紙片１，２を互いに摺動可能に重ね合わせるとともに、両背表紙片１，２が図３や図９に示すような異なる所定幅位置にあるときに両背表紙片１，２を重ね合わせた状態のまま相互にロックできるロック手段Ｌを背表紙片１、２上に設けたものである。
【００３６】
このように構成すると、背表紙片１，２から構成される背表紙を幅狭な位置から拡幅した位置に再固定して使用することができるので、単に閲覧のためのみに拡幅するものに比べて、実質的な綴じ込み量を有効に可変とすることができる。また、予め多くの紙葉類の綴じ込みが予定される場合にも、綴じ込み量が少ない間は背幅を図３に示すように幅狭に調整しておけば棚等の保管場所に多くのデッドスペースが生じることも好適に解消することができる。その上、独立した背板を用いておらず、表表紙Ａ及び裏表紙Ｂに連ねた背表紙片１，２同士を重ね合わせるだけの最小限の重合で背表紙を構成しているため、簡素な構造を有効に実現することが可能となる。
【００３７】
特に、ロック手段Ｌが、少なくとも最大背幅位置と最小背幅位置とで背表紙片１，２を相互にロックできるものであるので、予定された背幅変更範囲のうち少なくともこれら２位置でロック手段Ｌを働かせることで、上記効果を最大限に発揮させることができる。
【００３８】
具体的には、ロック手段Ｌが、重ね合わせた状態で内面側から操作可能なように位置づけた固定具６と、所定幅位置においてこの固定具６が係り合うことによって背表紙片１，２の相対位置を拘束する係り合い部たる貫通部１２ａ、１２ｂ、２２とを備えており、背表紙片１，２の内面側から固定具６に対して固定操作を行うことができるので、机上にて見開き状態のままで各背幅位置におけるロック／ロック解除操作を簡単に行うことができる。
【００３９】
この場合、背表紙片１，２間に、これら両背表紙片１，２の所定方向への相対移動を許容しつつ両背表紙片１，２を離脱しないように取り付ける取付機構４を構成し、この取付機構４の一部に固定具６を支持させているので、固定具６が常にファイルＦに付帯することとなり、固定具６の脱落、紛失を防ぐとともに、必要なときに固定具６を直ちに操作可能な位置に配しておくことができる。
【００４０】
より具体的には、取付機構４が、一方の背表紙片２に設けた支持杆４１を他方の背表紙片１に設けたガイド部１１に係り合わせるようにしたものであり、その支持杆４１に固定具６を一体的に設ける構造を採用しているので、取付機構４とロック手段６とを樹脂等により渾然一体に作ることができ、別々に構成する場合に比してより簡素な構造を実現することができる。
【００４１】
また、固定具６が、ヒンジ部６ａを介して取付機構４に回転可能に設けられているので、固定具６のぶれの少ない回転動作を通じて良好な操作性を得ることができる。
【００４２】
とりわけ、ヒンジ部６ａに、固定具６が係り合い部である貫通部１２ａ、１２ｂ、２２に対してロック位置から非ロック位置に移動した際にクリックストップさせる樹脂スプリング機能を備えるため、固定具６を非ロック位置に待機させた状態で背表紙片１、２の操作を有効に行うことができる。
【００４３】
さらに、表表紙Ａと背表紙片１の間、及び、裏表紙Ｂと背表紙片２の間が、分離した芯材ｃ、ｃの間を表装材ｄで接続することにより一体的に構成されているため、図１９（ａ）のようなファイルＦの適切な形態を維持することができる。すなわち、このファイルＦは背板によるバックアップがないため、例えば同図（ｂ）に示すように表表紙Ａと背表紙片１の間、及び、裏表紙Ｂと背表紙片２の間が樹脂ヒンジＨ等で繋がっている場合には、表表紙Ａと背表紙片１の間の角度、及び裏表紙Ｂと背表紙片２の間の角度が開き易く、これがため背表紙片１，２間に隙間が生じて見栄えを損ね易い。これに対して、本実施形態のように構成すれば、表表紙Ａと背表紙片１の間、及び、裏表紙Ｂと背表紙片２の間で実質的に縁が切れているので、このような変形動作を有効に防止してファイルＦを同図（ａ）に示すような適切な形態に維持することができる。
【００４４】
また、図１７に示すように、重ね合わせた際に外面側に位置する背表紙片１を被覆するように見出し片８が配置してあり、係り合い部たる貫通部１２ａ、１２ｂ、２２がこの見出し片８によって隠蔽される位置に集中しているため、図１８に示すように背幅を拡幅させることによってそれまで重合していた内面側の背表紙片２の一部が外面側の背表紙片１から外側方に露出することとなっても、この背表紙片２に貫通部等を設けていないことから、背表紙の外観を損ねる不具合を有効に回避することができる。
【００４５】
同様に、取付機構４を構成するガイド部１１も上記外面側の背表紙片１の見出し片８によって隠蔽される位置にあり、このガイド部１１内を遊動する支持杆４１もガイド部１１に沿って図１７の最小背幅位置から図１８に示す最大背幅位置に移動した際にも当該見出し片８によってほぼ隠蔽されるので、この点においても背表紙の外観を損ねる不具合を有効に回避することができる。
【００４６】
さらにまた、両背表紙片１，２を重ねた状態において、綴じ具５が両背表紙片１，２の内面間にまたがって設けられるので、この綴じ具５によって紙葉類の綴じ込みが可能になるとともに、綴じ具４によっても背表紙片１，２同士が連結されるため、取付機構４を設けていることとも相俟って、両背表紙片１，２を的確に相対移動させ、かつ最大背幅位置にて背表紙片１，２同士の重合しろが少なくなった場合にもグラつきの少ない適切な状態を維持することができる。
【００４７】
加えて、綴じ具５が、各背表紙片１，２にそれぞれ取付面を固定したベース部５２と、これらのベース部５２にそれぞれ取り付けた押さえ片５１とを備え、少なくとも一方の押さえ片５１が着脱可能であるとともに、これらの押さえ片５１の一方より突出させたパイプ５３と他方より突出させた軸５４とを嵌合させて背幅に応じた嵌合深さの綴じ杆を形成するものであり、両背表紙片１，２の段差ｓに対応した段差解消部５００を設けて綴じ杆５ｘの伸縮方向と背表紙片１，２の相対移動方向とを平行に保つようにしているので、背表紙片１、２間の段差ｓを解消して、綴じ杆５ｘを適正に伸縮動作させることができる。
【００４８】
以上に加えて、背幅を拡幅させた状態で既設パイプ５３から突出する軸５４部分に嵌合する拡張パイプ５５を、背表紙片２の内面側に着脱可能に取り付け得るようにしているので、背幅拡幅時における使用状態を安定、確実ならしめることができる。
【００４９】
具体的には、拡張パイプ５５を背表紙片２の内面側に存する取付機構４の一部たる板状部４２に着脱可能に取り付け得るようにしているので、拡張パイプ５５を実質的に邪魔にならない位置に有効に待機させておくことができる。
【００５０】
なお、各部の具体的な構成は、上述した実施形態のみに限定されるものではなく、本発明の趣旨を逸脱しない範囲で種々変形が可能である。
【００５１】
例えば、最小背幅位置と最大背幅位置との間に更に背幅を固定できる位置を設定してもよく、これによって一層段階的あるいは連続的な背幅変更及び背幅固定を行うことが可能となる。
【００５２】
また、背表紙片同士を連結する取付機構は、単に一方から挿入したピンの端部を挿入端でかしめるだけの簡単な構造にしてもよく、ガイド部は段付き長孔状ではなく単なる長孔としても構わない。係り合い部も、特に外面側の背表紙片は貫通していない形状のものにすることもできる。さらに、背表紙片は、綴じ具のベース部を樹脂等により一体成形したものであってもよい。
【００５３】
さらにまた、図示例では表表紙に連ねた背表紙片が外面側に位置し、裏表紙に連ねた背表紙片が内面側に位置していたが、前者を内面側に位置づけ、後者を外面側に位置づけるように構成してもよいのは言うまでもない。
【００５４】
その他の構成も、本発明の趣旨を逸脱しない範囲で種々変形が可能である。
【図面の簡単な説明】
【００５５】
【図１】本発明の一実施形態に係るファイルの斜視図。
【図２】同分解斜視図。
【図３】同ファイルの背幅調節機能を縮幅状態において示す斜視図。
【図４】取付機構及びロック手段の縮幅時の状態を示す平面図。
【図５】図４におけるＡ−Ａ線断面図。
【図６】図４におけるＢ−Ｂ線断面図。
【図７】図６に対応した作用説明図。
【図８】図４におけるＣ−Ｃ線断面図。
【図９】同ファイルの背幅調節機能を拡幅状態において示す斜視図。
【図１０】取付機構及びロック手段の拡幅時の状態を示す平面図。
【図１１】図９におけるＤ−Ｄ線断面図。
【図１２】図９におけるＥ−Ｅ線断面図。
【図１３】図９におけるＦ−Ｆ線断面図。
【図１４】同実施形態の綴じ杆を縮幅状態において示す図。
【図１５】同実施形態の綴じ杆を拡幅状態において示す図。
【図１６】同実施形態の綴じ杆に拡張パイプを適用した図。
【図１７】同実施形態において最小背幅位置に調整したファイルを示す背面斜視図。
【図１８】同実施形態において最大背幅位置に調整したファイルを示す背面斜視図。
【図１９】同実施形態の作用説明図。
【図２０】同実施形態の拡張パイプを保持しておくための構成を示す図。
【符号の説明】
【００５６】
Ａ…表表紙
Ｂ…裏表紙
ｃ…芯材
ｄ…表装材
Ｌ…ロック手段
１，２…背表紙片
４…取付機構
５…綴じ具
５ｘ…綴じ杆
６…固定具
６ａ…ヒンジ部
８…見出し片
１１…ガイド部
１２ａ、１２ｂ，２２…係り合い部（貫通部）
４１…支持杆
５１…押さえ片
５２…ベース部
５３…パイプ
５４…軸
５５…拡張パイプ
【図１】
2008207448.tif 000003
【図２】
2008207448.tif 000004
【図３】
2008207448.tif 000005
【図４】
2008207448.tif 000006
【図５】
2008207448.tif 000007
【図６】
2008207448.tif 000008
【図７】
2008207448.tif 000009
【図８】
2008207448.tif 000010
【図９】
2008207448.tif 000011
【図１０】
2008207448.tif 000012
【図１１】
2008207448.tif 000013
【図１２】
2008207448.tif 000014
【図１３】
2008207448.tif 000015
【図１４】
2008207448.tif 000016
【図１５】
2008207448.tif 000017
【図１６】
2008207448.tif 000018
【図１７】
2008207448.tif 000019
【図１８】
2008207448.tif 000020
【図１９】
2008207448.tif 000021
【図２０】
2008207448.tif 000022